(57)【要約】  【課題】  セルフタイマー機能を用いた撮像において、電源の消費を抑え、レリーズボタンが押圧された直後のシャッター幕が発する音によって撮像が行われたと誤認せず、撮像素子等にゴミや埃が付着することを防止する。【解決手段】  シャッターを開放してライブビュー表示が可能な撮像装置であって、ライブビュー表示状態からセルフタイマー撮影を実行する制御手段と、セルフタイマー動作中に発音する発音手段とを有し、制御手段は、ライブビュー表示状態からセルフタイマー撮影を実行する際に、発音手段による発音動作中にシャッターを閉鎖するとともに、発音手段による発音動作が終了した後、シャッターをチャージして撮影動作を実行する。【選択図】図１
2010103626.tif 000002
【特許請求の範囲】
【請求項１】
シャッターを開放してライブビュー表示が可能な撮像装置であって、
前記ライブビュー表示状態からセルフタイマー撮影を実行する制御手段と、
セルフタイマー動作中に発音する発音手段とを有し、
前記制御手段は、前記ライブビュー表示状態からセルフタイマー撮影を実行する際に、前記発音手段による発音動作中に前記シャッターを閉鎖するとともに、前記発音手段による発音動作が終了した後、前記シャッターをチャージして撮影動作を実行することを特徴とする撮像装置。
【請求項２】
前記制御手段は、前記ライブビュー表示状態からセルフタイマー撮影を実行する際に、前記発音手段による発音動作の開始タイミングと前記シャッターの閉鎖動作の開始タイミングとの同期を取ることを特徴とする請求項１に記載の撮像装置。
【発明の詳細な説明】
【技術分野】
【０００１】
本発明は、セルフタイマー撮像モードによる撮像において、消費電力を抑制する撮像装置に関する。
【背景技術】
【０００２】
撮像装置について、撮像に先立って撮像素子で取得した被写体像の動画像をモニタに表示させることが、従来なされている。このような構成を持ったデジタル一眼レフカメラは、通常の光学式ファインダを用いて被写体像の観察を行う状態からライブビューモードが選択されると、所定のシーケンスを経て、クイックリターンミラーユニットをミラーアップ位置へ移動し、シャッター幕を撮像レンズの撮像光路外に退避させる。すなわち、撮像レンズと撮像素子との間に位置し、撮像レンズを通過してきた光を遮蔽する全ての部材は、退避した状態になる。これにより、撮像素子により取り込まれた画像信号は、所定の処理を経て外部表示装置（電子ファインダ）に動画像として表示される（以下、ライブビューという）。
【０００３】
デジタル一眼レフカメラのシャッター幕には、撮像素子の前面に配置されるフォーカルプレンシャッターが通常用いられる。
【０００４】
また、デジタル一眼レフカメラの撮像モードには、レリーズボタン（操作部材）を押圧された直後（例えば０．１秒後）に撮像を行うのではなく、レリーズボタンを押圧されてから、所定時間経過後（例えば１０秒後）に撮像を行うセルフタイマー撮像モードがある。
【０００５】
特許文献１の提案には、通常の光学式ファインダを用いて撮像を行う場合のシャッター幕制御と、ライブビューを用いて撮像を行う場合のシャッター幕制御の違いについての提案が開示されている。
【０００６】
以下、ライブビューモード及びセルフタイマーモードが選択されたデジタル一眼レフカメラの実施形態であって、レリーズボタンが押圧されてから撮像を行う間の制御手段による処理の流れの従来例を図を用いて説明する。
【０００７】
従来例１として、図７を参照しながら説明する。
【０００８】
ライブビューモード及びセルフタイマーモードが選択され、制御手段がレリーズボタンの押圧を検出する（ステップＳ１４）。制御手段は、セルフタイマーを開始し（ステップＳ１５）、セルフタイマー完了（ステップＳ１６）まで所定の時間の間、セルフタイマー発信音を所定の時間間隔で繰り返させる（ステップＳ１７）。制御手段は、セルフタイマーが完了するとライブビューを停止し（ステップＳ１８）、撮像（ステップＳ１３）を行わせる。
【０００９】
次に従来例２として、図８を参照しながら説明する。
【００１０】
ライブビューモード及びセルフタイマーモードが選択され、制御手段がレリーズボタンの押圧を検出する（ステップＳ２０）。制御手段は、ライブビューを停止させ（ステップＳ２１）、シャッター後幕を閉じさせ（ステップＳ２２）、シャッターチャージを行わせる（ステップＳ２３）。それとは別に、制御手段は、ライブビューを停止させた（ステップＳ２１）後に、セルフタイマーを開始させ（ステップＳ２４）、セルフタイマー完了（ステップＳ２５）まで所定時間の間、セルフタイマー発信音（ステップＳ２６）を所定の時間間隔で繰り返させる。制御手段は。セルフタイマーが完了すると、撮像（ステップＳ２７）を行わせる。
【特許文献１】特開２００５−４５５４４号公報
【発明の開示】
【発明が解決しようとする課題】
【００１１】
しかし、従来例１のデジタル一眼レフカメラは、レリーズボタンを押してから撮像が開始されるまでの時間もライブビューを行っているため、撮像素子（例えば、ＣＣＤ）や表示装置（例えば、バックライト照明付き液晶素子）の駆動によって電源を消費してしまう。また、従来例１のデジタル一眼レフカメラは、ライブビューを行っている間はシャッター幕を開いているので、ミラーボックス内のゴミや埃が、撮像素子やその表面に配置された光学フィルターに付着する可能性が高い。
【００１２】
一方、従来例２のデジタル一眼レフカメラは、レリーズボタンを押した直後にライブビューを停止させ、シャッター幕を閉じている。しかしながら、シャッター幕を閉じる駆動音やシャッターチャージの駆動音により、セルフタイマー動作中にも関わらず、ユーザーが撮像が行われたと誤認する可能性があった。
【課題を解決するための手段】
【００１３】
本発明の撮像装置は、シャッターを開放してライブビュー表示が可能な撮像装置であって、ライブビュー表示状態からセルフタイマー撮影を実行する制御手段と、セルフタイマー動作中に発音する発音手段を有し、制御手段は、ライブビュー表示状態からセルフタイマー撮影を実行する際に、発音手段による発音動作中にシャッターを閉鎖するとともに、発音手段による発音動作が終了した後、シャッターをチャージして撮影動作を実行することを特徴とする。
【発明の効果】
【００１４】
本発明によれば、ライブビュー表示状態からセルフタイマー撮影を実行する際に、ライブビュー表示状態を解除するので電源の消費を抑えるとともに、撮像素子等にゴミや埃が付着することを防止することができる。また、発音動作中にシャッターを閉鎖するので、ライブビュー表示を解除するためのシャッターの動作音によって撮像が行われたと誤認することがない。
【発明を実施するための最良の形態】
【００１５】
以下、本発明の実施例を図を参照しながら説明する。
【００１６】
図１は、本発明の実施例であるデジタル一眼レフカメラの外観正面図である。図２は、本実施例によるデジタル一眼レフカメラの要部概略の側面断面図である。
【００１７】
１はカメラ本体、２は撮像レンズ、３はクイックリターンミラーユニット、４はミラーボックス、５は被写体像を目視するための光学式ファインダユニット、６はシャッター幕、７はＣＭＯＳセンサーやＣＣＤセンサー等の撮像素子、８はバックライト照明付き液晶等の外部表示装置、９は制御ユニット、１１はレリーズボタンである。
【００１８】
次に、本発明の実施例によるカメラの動作を図１乃至図５を用いて説明する。
【００１９】
図２は、光学式ファインダにより、被写体を目視可能な状態を示している。図３は、ライブビューにより、被写体を目視可能な状態を示している。図２の状態からライブビューモードが選択されると、クイックリターンミラーユニット３は、図３に示す様にミラーアップ位置へ移動する。シャッター幕６は、ミラーボックス４の外側に退避することでシャッター幕の開放状態になる。すなわち、撮像素子７と撮像レンズ２との間には、撮像レンズ２を通過してきた被写体像を遮蔽する部材が全て退避した状態になる。これにより、撮像装置は、撮像素子７により取り込まれた画像信号を所定の処理を経て外部表示装置８に動画像として表示させる、ライブビュー表示状態となる。
【００２０】
以下は、図５及び図６を参照して、制御ユニット９の動作を説明する。図５は、セルフタイマー撮影モードが選択され、撮影者によりレリーズボタン１１が押されて撮像（静止画撮像）を行うまでの制御ユニット９による処理の流れを示すフローチャートである。図６は、制御ユニット９による告知音とシャッター閉鎖の衝突音の時間的関係を示すタイミングチャートである。なお、制御ユニット９は、制御手段および発音手段に相当する。
【００２１】
ユーザーにより、ライブビュー表示モードに加えてセルフタイマー撮影モードが選択された状態でレリーズボタン１１が、押される（ステップＳ１）。撮像装置は、速やかにライブビュー表示を停止し（ステップＳ２）、撮像素子７、画像処理を行う電気回路及び外部表示装置８への電源の供給を停止する。従って、本実施例の撮像装置は、レリーズボタン１１が押されてからの電源消費量を最小限に抑えることが可能である。
【００２２】
次に、制御ユニット９が、セルフタイマーを開始する（ステップＳ３）。制御ユニット９は、セルフタイマー開始後にシャッター幕６の走行を開始し、シャッターを閉鎖する（ステップＳ４）。従って、本実施例の撮像装置は、レリーズボタン１１が押されてからセルフタイマーが完了するまでの間（セルフタイマー中）、ミラーボックス４と撮像素子７との間に位置するシャッター幕６を閉じている。これにより、ミラーボックス４内部のゴミや埃の撮像素子７の表面への付着を抑えることが可能である。
【００２３】
また、制御ユニット９は、セルフタイマーを開始（ステップＳ３）後にシャッター幕同期タイマーをスタート（ステップＳ６）させ、シャッター幕同期タイマー完了後にステップＳ８へ進む（ステップＳ７）。制御ユニット９は、シャッター幕同期タイマーが完了（ステップＳ７）すると、セルフタイマー動作中に発音するセルフタイマー告知音を発生させる（ステップＳ８）。従って、セルフタイマー告知音の発音動作中にシャッター幕は閉鎖される。制御ユニット９は、セルフタイマーが完了する（ステップＳ１０）までの間、セルフタイマー告知音（ステップＳ９）を所定の時間間隔で繰り返す（図６参照）。そして、制御ユニット９は、セルフタイマー告知音の発音動作が終了した後、シャッターチャージの開始（ステップＳ１１）、シャッターチャージ完了（ステップＳ１２）、撮像（ステップＳ１３）を連続的に行う。すなわち、ライブビュー表示状態からセルフタイマー撮影を実行する際に、セルフタイマー告知音の発音動作中にシャッター幕を閉鎖する動作を実行し、セルフタイマー告知音が終了した後、シャッター幕６をチャージして撮影動作を実行する。
【００２４】
シャッター幕同期タイマーは、制御ユニット９がシャッター幕６の閉鎖による衝突音（ステップＳ５）と制御ユニット９を作動させてセルフタイマー告知音（ステップＳ８）を図６に示されるタイミングで発生するように設定されている。すなわち、セルフタイマー告知音の開始タイミングとシャッター幕６の閉鎖動作の開始タイミングとの同期を取っている。制御ユニット９は、ステップＳ８において、シャッター幕６の閉鎖による衝突音の発生時に告知音を発生させていれば、（１）のように告知音のパルス発生の初めだけでなく、（２）のように告知音のパルス発生の途中にシャッター幕６の衝突音が生じるように告知音を発生させてもよい。
【００２５】
制御ユニット９は、図６に示されるように、セルフタイマー告知音を所定の時間間隔で繰り返すので、ステップＳ８において、告知音の初めのパルスでなく（３）ように２つめ以降のどのパルス中に、シャッター幕６の衝突音を発生させるようにしてもよい。
【００２６】
これにより、本実施例の撮像装置は、レリーズボタンを押した後のシャッター幕６の閉鎖による衝突音によって、ユーザーが撮像が行われたと誤認することを防止できる。
【００２７】
また、本実施例は、シャッター幕の閉鎖時に生じる衝突音について述べたが、クイックリターンミラーユニット３のミラーアップ時に制御ユニット９の告知音を発生させてもよい。
【００２８】
本実施例の撮像装置は、セルフタイマー完了後、撮像動作直前に撮像動作と連続的にシャッターチャージ動作を行うことで、ユーザーが撮像が行われたと誤認することを防止できる。
【００２９】
以上、本発明の好ましい実施例について説明したが、本発明はこれらの実施例に限定されないことはなく、その要旨の範囲内で種々の変更が可能である。
【図面の簡単な説明】
【００３０】
【図１】本発明の実施例のライブビュー時から撮像までの処理を示すフローチャート。
【図２】本発明の実施例によるデジタル一眼レフカメラの正面図。
【図３】本発明の実施例によるデジタル一眼レフカメラの側面断面図。
【図４】本発明の実施例によるデジタル一眼レフカメラのライブビュー時の側面断面図。
【図５】本発明の実施例によるデジタル一眼レフカメラのシャッター後幕閉鎖時の側面断面図。
【図６】本発明の実施例のシャッター幕閉鎖と、告知音のタイミングチャート。
【図７】従来例１のライブビュー時から撮像までの処理を示すフローチャート。
【図８】従来例２のライブビュー時から撮像までの処理を示すフローチャート。
【符号の説明】
【００３１】
１  カメラ本体
２  撮像レンズ
３  クイックリターンミラーユニット
４  ミラーボックス
５  光学式ファインダユニット
６  シャッター幕
７  撮像素子
８  外部表示装置
９  制御ユニット
１１  レリーズボタン
【図１】
2010103626.tif 000003
【図２】
2010103626.tif 000004
【図３】
2010103626.tif 000005
【図４】
2010103626.tif 000006
【図５】
2010103626.tif 000007
【図６】
2010103626.tif 000008
【図７】
2010103626.tif 000009
【図８】
2010103626.tif 000010